(57)【特許請求の範囲】
【請求項１】
入力されたパルス符号変調信号を出力音量設定手段の設定量に応じて減衰すべく所定量の係数を乗算する乗算手段と、
前記乗算手段からの出力信号に対してトーンをコントロールすべく設けられたトーンコントロール手段と、
前記トーンコントロール手段から出力されたパルス符号変調信号を変調してパルス密度変調信号を出力するパルス密度変調手段と、
前記パルス密度変調手段からの出力信号に基づいてスイッチングにより電源電圧に基づく電力増幅を行うスイッチング出力手段とを備え、前記スイッチング出力手段からの出力をアナログ化して出力するパルス符号変調信号再生装置において、
トーンコントロールの有無を検出するトーンコントロール検出手段と、
前記スイッチング出力手段への電源電圧を可変する可変電圧電源手段と、
前記トーンコントロール手段によるトーンコントロール量と出力音量設定手段の設定量とに応じて可変電圧電源手段に対してスイッチング出力手段への電源電圧を可変させる制御手段とが設けられているとともに、
上記制御手段は、
前記トーンコントロール検出手段によりトーンコントロール無しを検出した場合には、前記出力音量設定手段の設定量に応じて可変電圧電源手段に対してスイッチング出力手段への電圧を可変させる一方、前記トーンコントロール検出手段によりトーンコントロール有りを検出した場合には、前記トーンコントロール手段によってトーンをコントロールさせ、前記トーンコントロール手段によるコントロール量と音量設定手段の設定量とに応じて可変電圧電源手段に対して前記スイッチング出力手段への電源電圧を可変させるとともに、前記トーンコントロール手段によるコントロール量に応じて前記乗算手段にて乗算する係数を可変させることを特徴とするパルス符号変調信号再生装置。
【発明の詳細な説明】
【０００１】
【発明の属する技術分野】
本発明はオーディオ用のパルス符号変調信号再生装置に係り、特にスイッチング出力型のパルス符号変調信号再生装置に関するものである。
【０００２】
【従来の技術】
デジタルアンプ等に用いられるスイッチング出力型のパルス符号変調信号（以下、「ＰＣＭ（Pulse Code Modulation ）信号」と記す）再生装置は、通常のアナログ回路を用いることなくＰＣＭ信号をＤ／Ａ変換しつつ、スピーカ等の再生装置を駆動することができる優れたものである。
【０００３】
以下、従来のスイッチング出力型のＰＣＭ信号再生装置を、図４〜図６に基づき説明すれば、以下の通りである。
【０００４】
従来のスイッチング出力型のＰＣＭ信号再生装置２１の構成は、図４に示すように、デジタル減衰器（以下、「デジタルＡＴＴ(attenuator)」と記す）２２、トーンコントロール２３、パルス密度変調器（以下、「ＰＤＭ(Pulse Density Modulator) 変調器」と記す）２４、スイッチング出力段２５、低域フィルタ（以下、「ＬＰＦ（Low-Pass filter ）」と記す）２６、コントローラ２７、定電圧電源２８、ボリュームキー２９、トーンコントロールキー３０、およびマイコン３１を有している。上記のスイッチング出力段２５は、トランジスタからなっており、ベースには上記ＰＤＭ変調器２４の出力が印加される一方、コレクタには定電圧電源２８からの供給電圧Ｖccが印加されるようになっている。
【０００５】
上記のＰＣＭ信号再生装置２１では、デジタルＡＴＴ２２に入力されたＰＣＭ信号は、ボリュームキー２９により設定された音量だけデジタルＡＴＴ２２にて減衰させられる。次に、トーンコントロールキー３０の設定により、トーンコントロール２３にて、低音や高音を設定した量だけ強調（ブースト）またはカットされる。次に、トーンコントロール２３の出力信号は、ＰＤＭ変調器２４にて、パルス密度変調信号（以下、「ＰＤＭ(Pulse Density Modulation ）信号」と記す）に変換される。次いで、このＰＤＭ信号は、スイッチング出力段２５にて電力スイッチング増幅され、スピーカ等の装置を駆動する。ＬＰＦ２６は、スイッチング出力段２５から出力された信号の高周波成分を取り除いてアナログ信号を出力する。コントローラ２７は、デジタルＡＴＴ２２とトーンコントロール２３とを各々独立に制御している。
【０００６】
以上のように構成されたＰＣＭ信号再生装置２１における、ＰＣＭ信号再生装置２１の出力であるオーディオ信号の信号レベルと雑音レベルとの関係を、以下の各操作設定状態（１）〜（４）に基づき説明する。
【０００７】
（１）トーンコントロールＯＦＦ、かつ音量設定最大
（２）トーンコントロールＯＦＦ、かつ音量設定中
（３）トーンコントロールＯＦＦ、かつ音量設定小
（４）トーンコントロールＯＮ、かつ音量設定小
ＰＣＭ信号再生装置２１から出力されたオーディオ信号は、図５において（１）〜（４）に示す信号レベルと雑音レベルとの関係になって、図示しないスピーカ等の装置にて音を発生させる。同図から分かるように、音量設定に伴って信号レベルそのものは変化しているが、雑音レベルは常に一定である。なお、明細書中で用いている括弧つき数字（１）〜（４）は、図２、３、５および６において用いられている、丸付きの数字１〜４と対応している。
【０００８】
また、上記の各操作設定状態（１）〜（４）の時には、図６の（１）〜（４）に示すように、スイッチング出力段２５に電源を供給している定電圧電源２８の供給電圧Ｖccは常に一定不変となっている。
【０００９】
【発明が解決しようとする課題】
しかしながら、上記のような、オーディオ信号に対してアナログ信号による負帰還を用いない、全てデジタルで信号を扱う構成では、一般にオーディオ信号に対して負帰還を多量に掛けるアナログ回路を用いた同様の装置と比較して雑音が多い。その雑音レベルは、図５の（１）〜（４）に示すように、デジタルＡＴＴ２２の音量設定にかかわらず常に一定であるので、小音量時のＳ／Ｎ比が特に悪いという問題がある。
【００１０】
本発明は、上記の問題点を解決するためになされたもので、その目的は、全てデジタルで信号を扱うスイッチング出力型の場合に、小音量時おけるＳ／Ｎ比の悪化を防止し得るパルス符号変調信号再生装置を提供することにある。
【００１１】
【課題を解決するための手段】
本発明のパルス符号変調信号再生装置は、上記課題を解決するために、入力されたパルス符号変調信号を出力音量設定手段の設定量に応じて減衰する乗算手段と、前記乗算手段から出力されたパルス符号変調信号を変調してパルス密度変調信号を出力するパルス密度変調手段と、前記パルス密度変調手段からの出力信号に基づいてスイッチングにより電源電圧に基づく電力増幅を行うスイッチング出力手段とを備え、前記スイッチング出力手段からの出力をアナログ化して出力するパルス符号変調信号再生装置において、前記スイッチング出力手段への電源電圧を可変する可変電圧電源手段と、前記出力音量設定手段の設定量に応じて可変電圧電源手段に対してスイッチング出力手段への電源電圧を可変させる制御手段とが設けられている。
【００１２】
上記の発明によれば、制御手段は、出力音量設定手段の設定量に応じて可変電圧電源手段に対してスイッチング出力手段への電源電圧を可変させる。
【００１３】
このため、出力音量設定を下げた時、スイッチング出力手段への電源電圧を下げることにより、出力直前に出力信号のレベルを下げることができる。このため、出力音量設定手段の設定量として音量が小さい程、信号レベルはあまり変わらないが雑音レベルが大きく減少する。よって、小出力音量時のＳ／Ｎ比を向上できる。
【００１４】
この結果、全てデジタルで信号を扱うスイッチング出力型の場合に、小音量時おけるＳ／Ｎ比の悪化を防止し得るパルス符号変調信号再生装置を提供することができる。
【００１５】
また、本発明のパルス符号変調信号再生装置は、上記課題を解決するために、入力されたパルス符号変調信号を出力音量設定手段の設定量に応じて減衰すべく所定量の係数を乗算する乗算手段と、前記乗算手段からの出力信号に対してトーンをコントロールすべく設けられたトーンコントロール手段と、前記トーンコントロール手段から出力されたパルス符号変調信号を変調してパルス密度変調信号を出力するパルス密度変調手段と、前記パルス密度変調手段からの出力信号に基づいてスイッチングにより電源電圧に基づく電力増幅を行うスイッチング出力手段とを備え、前記スイッチング出力手段からの出力をアナログ化して出力するパルス符号変調信号再生装置において、トーンコントロールの有無を検出するトーンコントロール検出手段と、前記スイッチング出力手段への電源電圧を可変する可変電圧電源手段と、前記トーンコントロール手段によるコントロール量と前記出力音量設定手段の設定量とに応じて可変電圧電源手段に対してスイッチング出力手段への電源電圧を可変させる制御手段とが設けられるとともに、上記制御手段は、前記トーンコントロール検出手段によりトーンコントロール無しを検出した場合には、前記出力音量設定手段の設定量に応じて可変電圧電源手段に対して電圧を可変させる一方、前記トーンコントロール検出手段によりトーンコントロール有りを検出した場合には、前記トーンコントロール手段によるコントロール量と出力音量設定手段の設定量とに応じて可変電圧電源手段に対して電圧を可変させるとともに、前記乗算手段にて乗算する係数を可変させることを特徴としている。
【００１６】
上記の発明によれば、制御手段は、トーンコントロール検出手段によりトーンコントロール無しを検出した場合には、前記出力音量設定手段の設定量に応じて可変電圧電源手段に対して電圧を可変させる一方、トーンコントロール検出手段によりトーンコントロール有りを検出した場合には、前記トーンコントロール手段によるコントロール量と出力音量設定手段の設定量とに応じて可変電圧電源手段に対して電圧を可変させるとともに、乗算手段にて乗算する係数を可変させる。
【００１７】
このため、トーンコントロール無しを検出したときには、出力音量設定を下げた時、スイッチング出力手段への電源電圧を下げることにより、出力直前に出力信号のレベルを下げることができる。この結果、出力音量設定手段の設定量として音量が小さい程、信号レベルはあまり変わらないが雑音レベルが大きく減少する。よって、小出力音量時のＳ／Ｎ比を向上できる。
【００１８】
一方、トーンコントロール有りを検出したときには、トーンコントロール手段によるコントロール量と出力音量設定手段の設定量とに応じて可変電圧電源手段に対して電圧を可変させる。
【００１９】
このため、出力音量設定を下げた時、スイッチング出力手段への電源電圧を下げることにより、出力直前に出力信号のレベルを下げることができる。このため、出力音量設定手段の設定量として音量が小さい程、信号レベルはあまり変わらないが雑音レベルが大きく減少する。よって、小出力音量時のＳ／Ｎ比を向上できる。また、コントロール量に基づいて可変電圧電源手段に対して電圧を可変させる。これにより、従来に比べて、小出力音量時のＳ／Ｎ比を向上できる。
【００２０】
一方、トーンコントロール手段のコントロール量に応じて、乗算手段にて乗算する係数を変化させることにより、スイッチング出力手段への供給電圧を下げることによる信号レベルの変化を補償することができる。この結果、従来と同様に、ダイナミック・レンジを損なわない出力を得ることができる。
【００２１】
【発明の実施の形態】
以下、本発明の実施の一形態を、図１〜図３に基づいて説明すれば、以下のとおりである。
【００２２】
本発明の実施の形態に係るスイッチング出力型のパルス符号変調信号（以下、「ＰＣＭ（Pulse Code Modulation ）信号」と記す）再生装置１は、図１に示すように、乗算手段としてのデジタル減衰器（以下、「デジタルＡＴＴ(attenuator)」と記す）２、トーンコントロール手段としてのトーンコントロール３、パルス密度変調手段としてのパルス密度変調器（以下、「ＰＤＭ(Pulse Density Modulator) 変調器」と記す）４、スイッチング出力手段としてのスイッチング出力段５、低域フィルタ（以下、「ＬＰＦ（Low-Pass filter ）」と記す）６、制御手段としてのコントローラ７、可変電圧電源手段としての可変電圧電源８、出力音量設定手段としてのボリュームキー９、トーンコントロールキー１０、およびトーンコントロール検出手段としてのマイコン１１を有している。
【００２３】
上記のスイッチング出力段５は、トランジスタからなっており、ベース側にはＰＤＭ変調器４の出力が印加される一方、コレクタ側には可変電圧電源８から供給される供給電圧Ｖdcが印加されるようになっている。そして、本実施の形態では、この供給電圧Ｖdcが可変電圧電源８によって可変となっている。
【００２４】
上記構成のＰＣＭ信号再生装置１における信号再生方法について説明する。
【００２５】
外部からＰＣＭ信号再生装置１に入力されたＰＣＭ信号は、まず、デジタルＡＴＴ２に入力される。デジタルＡＴＴ２は、操作者がボリュームキー９を操作することによりコントローラ７を介して出力される制御信号にて設定される量だけ入力されたＰＣＭ信号を減衰させて、トーンコントロール３に出力する。すなわち、入力されたＰＣＭ信号をこの制御信号にて設定される所定数をデジタルＡＴＴ２に設けられた図示しない乗算器にて乗算する。
【００２６】
次に、トーンコントロール３に入力されたＰＣＭ信号は、トーンコントロール３にて、コントローラ７から出力される制御信号にて設定される量だけ低音や高音が強調（ブースト）されて、ＰＤＭ変調器４に出力される。なお、後述するように、トーンコントロール３で強調対象となる周波数帯の出力が入力に対してｋ倍になるように設定されると、前述したデジタルＡＴＴ２の乗算の係数は１／ｋとなる。これにより、強調された周波数帯が切落とし（クリップ）されずに出力されるようになる。
【００２７】
次に、ＰＤＭ変調器４に入力されたＰＣＭ信号は、ＰＤＭ変調器４にてパルス密度変調信号（以下、「ＰＤＭ（Pulse Density Modulation）信号」と記す）に変換され、スイッチング出力段５に出力される。
【００２８】
次に、スイッチング出力段５に入力されたＰＤＭ信号は、このスイッチング出力段５にて、ハーフブリッジ回路等の電力変換回路によりスイッチング関数に基づいてＤ級増幅されて、図示しないスピーカ等の再生装置を駆動するスイッチング信号を出力する。なお、スイッチング出力段５から出力されたスイッチング信号は、ＬＰＦ６にて高周波成分が取り除かれてオーディオ信号であるアナログ信号が出力される。
【００２９】
そして、このＬＰＦ６を通ったオーディオ信号は図示しないスピーカ等の再生装置にて音を発生させる。
【００３０】
また、スイッチング出力段５へ電圧を供給する可変電圧電源８の供給電圧Ｖdcは、後述するコントローラ７から出力される制御信号により設定される。
【００３１】
以上のように、コントローラ７は、デジタルＡＴＴ２とトーンコントロール３と可変電圧電源８とを各々関連付けて、制御信号にて制御している。
【００３２】
この制御は、操作者がボリュームキー９にて所望した出力音量としての音量レベル設定、およびトーンコントロールキー１０にての強調の選択、すなわち、トーンコントロールのＯＮ・ＯＦＦに基づくものである。つまり、これらの操作者の設定および選択行為による信号がマイコン１１に送られ、さらに、操作設定に基づいた信号がコントローラ７に送られ、コントローラ７はデジタルＡＴＴ２、トーンコントロール３および可変電圧電源８にそれぞれ制御信号を送出する。
【００３３】
これら制御信号の設定について述べる。
【００３４】
まず、トーンコントロールキー１０にてブースト機能つまり特定周波数の強調が選択されたか否かをマイコン１１にて判断する。
【００３５】
ブースト機能が選択されていない場合、すなわち、トーンコントロールがＯＦＦの場合、デジタルＡＴＴ２の乗算の係数は１である。そして、ボリュームキー９にての音量設定に比例して、可変電圧電源８の供給電圧Ｖdcが設定される。
【００３６】
ブースト機能が選択されている場合、すなわち、トーンコントロールがＯＮの場合、強調しようとする周波数帯の信号の強調率がｋ倍である時、デジタルＡＴＴ２の乗算の係数を１／ｋにする。そして、可変電圧電源８の供給電圧Ｖdcについても、音量設定が同じでブースト機能が選択されてない場合に対してｋ倍する。これによってブースト機能が選択されていない時と全体の信号レベルを同じにする。
【００３７】
以上のように構成及び設定されたＰＣＭ信号再生装置１の動作を、操作設定が以下の４つの場合を設定して説明する。
【００３８】
（１）トーンコントロールＯＦＦ、かつ音量設定最大
（２）トーンコントロールＯＦＦ、かつ音量設定中
（３）トーンコントロールＯＦＦ、かつ音量設定小
（４）トーンコントロールＯＮ、かつ音量設定小
操作設定（１）〜（４）における各設定状態時に、スイッチング出力段５に電源を供給する可変電圧電源８の供給電圧Ｖdcは、図３に示すように、従来の説明図である図６とは異なり、各設定状態によって変化している。すなわち、トーンコントロール３がＯＦＦのときは、ボリュームキー９による音量設定が大きい場合には、それに比例して供給電圧Ｖdcも大きくし、ボリュームキー９による音量設定が小さくなると、それに比例して供給電圧Ｖdcも小さくしている。また、トーンコントロール３がＯＮのときには、図３の（３）と比較した図３の（４）に示すように、ブースト機能が選択されたことにより供給電圧Ｖdcがｋ倍になっている。
【００３９】
一方、信号レベルと雑音レベルとの関係について、図２に基づいて説明する。最初に、トーンコントロール３がＯＦＦの場合について説明する。
【００４０】
先ず、トーンコントロール３がＯＦＦの場合には、トーンコントロール３のブーストによるｋ倍増幅を行なわないのでデジタルＡＴＴ２においても１／ｋ倍は行なわれない。
【００４１】
したがって、ボリュームキー９による音量設定が最大の操作設定（１）の場合は、従来の方式によるＰＣＭ信号再生装置２１における図５の（１）と全く同じであり、Ｓ／Ｎ比も同じである。また、図３の（１）に示すように、可変電圧電源８の供給電圧Ｖdcも同じである。すなわち、スイッチング出力段５への供給電圧Ｖdcが従来と同じであり、かつデジタルＡＴＴ２の減衰率が０であることから当然に再生される出力も同じになる。
【００４２】
次に、ボリュームキー９による音量設定が中の操作設定（２）の場合は、その音量設定つまり音量を下げた分に見合った分だけ、図３の（２）に示すように、可変電圧電源８の供給電圧Ｖdcを下げている。このため、信号レベルの低下と共に雑音レベルが減少するので、従来の方式によるＰＣＭ信号再生装置２１における図５の（２）と比較して、図２の（２）に示すように、雑音レベルは下がり、Ｓ／Ｎ比は低下していない。
【００４３】
さらに、ボリュームキー９による音量設定が小の操作設定（３）の場合は、音量をさらに下げた分に見合った分だけ、図３の（２）に示すように、可変電圧電源８の供給電圧Ｖdcをさらに下げている。このため、信号レベルの低下と共に雑音レベルがさらに減少するので、従来の方式によるＰＣＭ信号再生装置２１における図５の（３）と比較して、図２の（３）に示すように、雑音レベルはさらに下がり、Ｓ／Ｎ比は低下させずに維持されている。
【００４４】
次に、トーンコントロール３がＯＮの場合について説明する。この場合には、トーンコントロール３においてブーストによるｋ倍増幅を行ないかつデジタルＡＴＴ２においても１／ｋ倍する。さらに、スイッチング出力段５への供給電圧Ｖdcもｋ倍にする。
【００４５】
したがって、ボリュームキー９による音量設定が小の操作設定（４）の場合は、デジタルＡＴＴ２にてトーンコントロール３によってｋ倍ブーストする分だけ入力信号を１／ｋに減衰させるとともに、可変電圧電源８の供給電圧ＶdcをデジタルＡＴＴ２で入力信号をブーストのために１／ｋに減少させた分だけ、図３の（３）の場合よりもよりも図３の（４）に示すように増加させて設定している。このため、図２の（４）に示すように、信号レベルの低下と共に雑音レベルが図５の（４）に比べて減少する。すなわち、従来の方式によるＰＣＭ信号再生装置２１における図５の（４）と比較して、図２の（４）の場合は、雑音レベルが下がり、Ｓ／Ｎ比はあまり低下させずに済んでいる。
【００４６】
このように、本実施の形態のＰＣＭ信号再生装置１は、再生出力の出力量を設定するボリュームキー９と、このボリュームキー９の設定量に応じて入力されたＰＣＭ信号に所定量の係数を乗算するデジタルＡＴＴ２と、このデジタルＡＴＴ２からの出力信号を入力としＰＤＭ変調するＰＤＭ変調器４と、このＰＤＭ変調器４からの出力信号をＤ級増幅するスイッチング出力段５とを備えている。そして、スイッチング出力段５からの出力をアナログ信号として再生し、さらに、ブースト機能を有している。
【００４７】
また、本実施の形態では、ブースト機能はデジタルＡＴＴ２とＰＤＭ変調器４との間に設けられてトーンコントロールするトーンコントロール３により行われ、このトーンコントロールキー１０によるコントロール量とボリュームキー９の設定量とに応じてスイッチング出力段５の供給電圧Ｖdcを可変する可変電圧電源８を備えている。また、ブースト機能を作動させる時には、可変電圧電源８にてスイッチング出力段５の供給電圧Ｖdcを可変する。また、デジタルＡＴＴ２にて乗算する係数を可変するようにしている。
【００４８】
これにより、音量設定を下げた時のＳ／Ｎ比の低下を防止し、トーンコントロールを使用する時でもＳ／Ｎ比の低下を最小限に留めることができる。
【００４９】
【発明の効果】
本発明のパルス符号変調信号再生装置は、以上のように、スイッチング出力手段への電源電圧を可変する可変電圧電源手段と、前記出力音量設定手段の設定量に応じて可変電圧電源手段に対してスイッチング出力手段への電源電圧を可変させる制御手段とが設けられているものである。
【００５０】
それゆえ、出力音量設定を下げた時、スイッチング出力手段への電源電圧を下げることにより、出力直前に出力信号のレベルを下げることができる。このため、出力音量設定手段の設定量として音量が小さい程、信号レベルはあまり変わらないが雑音レベルが大きく減少する。よって、小出力音量時のＳ／Ｎ比を向上できるという効果を奏する。
【００５１】
また、本発明のパルス符号変調信号再生装置は、以上のように、トーンコントロールの有無を検出するトーンコントロール検出手段と、前記スイッチング出力手段への電源電圧を可変する可変電圧電源手段と、前記トーンコントロール手段によるコントロール量と前記出力音量設定手段の設定量とに応じて可変電圧電源手段に対してスイッチング出力手段への電源電圧を可変させる制御手段とが設けられるとともに、上記制御手段は、前記トーンコントロール検出手段によりトーンコントロール無しを検出した場合には、前記出力音量設定手段の設定量に応じて可変電圧電源手段に対して電圧を可変させる一方、前記トーンコントロール検出手段によりトーンコントロール有りを検出した場合には、前記トーンコントロール手段によるコントロール量と出力音量設定手段の設定量とに応じて可変電圧電源手段に対して電圧を可変させるとともに、前記乗算手段にて乗算する係数を可変させるものである。
【００５２】
それゆえ、トーンコントロール無しを検出したときには、出力音量設定を下げた時、スイッチング出力手段への電源電圧を下げることにより、出力直前に出力信号のレベルを下げることができる。この結果、出力音量設定手段の設定量として音量が小さい程、信号レベルはあまり変わらないが雑音レベルが大きく減少する。よって、小出力音量時のＳ／Ｎ比を向上できる。
【００５３】
一方、トーンコントロール有りを検出したときには、トーンコントロール手段によるコントロール量と出力音量設定手段の設定量とに応じて可変電圧電源手段に対して電圧を可変させる。
【００５４】
このため、出力音量設定を下げた時、スイッチング出力手段への電源電圧を下げることにより、出力直前に出力信号のレベルを下げることができる。この結果、出力音量設定手段の設定量として音量が小さい程、信号レベルはあまり変わらないが雑音レベルが大きく減少する。よって、小出力音量時のＳ／Ｎ比を向上できる。また、コントロール量に基づいて可変電圧電源手段に対して電圧を可変させる。これにより、従来に比べて、小出力音量時のＳ／Ｎ比を向上できる。
【００５５】
一方、トーンコントロール手段のコントロール量に応じて、乗算手段にて乗算する係数を変化させることにより、スイッチング出力手段への供給電圧を下げることによる信号レベルの変化を補償することができる。この結果、従来と同様に、ダイナミック・レンジを損なわない出力を得ることができるという効果を奏する。
【図面の簡単な説明】
【図１】  本発明におけるＰＣＭ信号再生装置の実施の一形態を示すブロック図である。
【図２】  上記ＰＣＭ信号再生装置の出力であるオーディオ信号の信号レベルと雑音レベルとの関係を示すグラフである。
【図３】  上記ＰＣＭ信号再生装置の各操作設定における可変電圧電源の供給電圧の設定を示すグラフである。
【図４】  従来のＰＣＭ信号再生装置の構成を示すブロック図である。
【図５】  上記ＰＣＭ信号再生装置の出力であるオーディオ信号の信号レベルと雑音レベルとの関係を示すグラフである。
【図６】  上記ＰＣＭ信号再生装置の各操作設定における電圧電源の供給電圧の設定を示すグラフである。
【符号の説明】
１    ＰＣＭ信号再生装置（パルス符号変調信号再生装置）
２    デジタルＡＴＴ（乗算手段）
３    トーンコントロール（トーンコントロール手段）
４    ＰＤＭ変調器（パルス密度変調手段）
５    スイッチング出力段（スイッチング出力手段）
６    ＬＰＦ
７    コントローラ（制御手段）
８    可変電圧電源（可変電圧電源手段）
９    ボリュームキー（出力音量設定手段）
１０    トーンコントロールキー
１１    マイコン（トーンコントロール検出手段）
【図１】
0003942857.tif 000002
【図２】
0003942857.tif 000003
【図３】
0003942857.tif 000004
【図４】
0003942857.tif 000005
【図５】
0003942857.tif 000006
【図６】
0003942857.tif 000007